(57)【要約】  絶縁部が施された複数のティース６１〜６９を有する固定子鉄心と、各ティース６１〜６９にワイヤを巻いて形成されるコイルと、を備え、固定子鉄心の外径側に設けられた絶縁部には、絶縁部の外周側に引き回されるコイルの渡り線（Ｕｂ、Ｖｂ、Ｗｂ）をティース６２、６５、６８側へ導入する導入口１と、コイルの渡り線（Ｕｃ、Ｖｃ、Ｗｃ）をティース６２、６５、６８側から絶縁部の外周側へ導出する導出口２と、が形成され、固定子鉄心の絶縁部側の軸方向端部から導入口１までの長さは、軸方向端部から導出口２までの長さと異なる。
2015162692.tif 000002
【特許請求の範囲】
【請求項１】
絶縁部が施された複数のティースを有する固定子鉄心と、
前記各ティースにワイヤを巻いて形成されるコイルと、
を備え、
前記固定子鉄心の外径側に設けられた絶縁部には、前記絶縁部の外周側に引き回される前記コイルの渡り線を前記ティース側へ導入する導入口と、前記コイルの渡り線を前記ティース側から前記絶縁部の外周側へ導出する導出口と、が形成され、
前記固定子鉄心の前記絶縁部側の軸方向端部から前記導入口までの長さは、前記軸方向端部から前記導出口までの長さと異なることを特徴とする電動機の固定子。
【請求項２】
前記軸方向端部から前記導入口までの長さは、前記軸方向端部から前記導出口までの長さよりも短いことを特徴とする請求項１に記載の電動機の固定子。
【請求項３】
前記絶縁部には、前記渡り線の巻き付け用のピンが形成され、
前記渡り線は、隣り合う異相の前記絶縁部に形成された前記ピンに巻き付けられることを特徴とする請求項１または２に記載の電動機の固定子。
【請求項４】
前記ピンには、前記渡り線を掛かり止めする１または複数の掛止部が形成されていることを特徴とする請求項３に記載の電動機の固定子。
【請求項５】
前記複数の掛止部の内、前記ピンの先端側の掛止部の高さは、反先端側に設けられた掛止部の高さよりも低くなるように形成されていることを特徴とする請求項４に記載の電動機の固定子。
【請求項６】
前記絶縁部の外周側には、前記渡り線を収納する溝部が形成されていることを特徴とする請求項１から５の何れか１項に記載の電動機の固定子。
【請求項７】
前記溝部は、前記渡り線を前記導入口へ導入する側の深さが前記渡り線を前記絶縁部の外周側へ導出する側の深さよりも浅くなるように形成されていることを特徴とする請求項６に記載の電動機の固定子。
【請求項８】
前記溝部は、その外径側の面が前記絶縁部の外周面と同じ高さに位置していることを特徴とする請求項６または７に記載の電動機の固定子。
【請求項９】
前記絶縁部には、モールド時に、モールド金型の押さえ箇所となる固定子外周に張り出して軸方向に形成されたモールド金型押さえ部が形成されていることを特徴とする請求項１から８の何れか１項に記載の電動機の固定子。
【請求項１０】
前記絶縁部は、固定子鉄心への樹脂成形で形成されることを特徴とする請求項１から９の何れか１項に記載の電動機の固定子。
【請求項１１】
請求項１から１０のいずれか１項に記載の電動機の固定子を用いたモールド電動機。
【請求項１２】
請求項１１に記載のモードル電動機を送風機に搭載した空気調和機。 
【発明の詳細な説明】
【技術分野】
【０００１】
本発明は、電動機の固定子、モールド電動機、および空気調和機
に関するものである。
【背景技術】
【０００２】
下記特許文献１に代表される従来の電動機の固定子では、ティースに施された絶縁部にマグネットワイヤが巻回されることによりコイルが形成され、コイル間の渡り線が、固定子鉄心端面より軸方向外側に位置する結線側絶縁部の外周を引き回される。また従来の電動機の固定子では、各相の渡り線の結線側絶縁部の外周への導出口と結線側絶縁部の外周からの導入口の高さが略同一であり、隣接する異相間に配線される複数の渡り線が接触することなく軸方向に配列されている。
【先行技術文献】
【特許文献】
【０００３】
【特許文献１】特開２００４−９６８３８号公報
【発明の概要】
【発明が解決しようとする課題】
【０００４】
しかしながら、上記特許文献１には、同相内に配線される複数の渡り線同士の干渉を回避する方法が開示されておらず、固定子の更なる品質の向上を図るというニーズに対応することができないという課題があった。【０００５】
本発明は、上記に鑑みてなされたものであって、更なる品質の向上を図ることが可能な電動機の固定子、モールド電動機、および空気調和機を得ることを目的とする。
【課題を解決するための手段】
【０００６】
上述した課題を解決し、目的を達成するために、本発明は、絶縁部が施された複数のティースを有する固定子鉄心と、前記各ティースにワイヤを巻いて形成されるコイルと、を備え、前記固定子鉄心の外径側に設けられた絶縁部には、前記絶縁部の外周側に引き回される前記コイルの渡り線を前記ティース側へ導入する導入口と、前記コイルの渡り線を前記ティース側から前記絶縁部の外周側へ導出する導出口と、が形成され、前記固定子鉄心の前記絶縁部側の軸方向端部から前記導入口までの長さは、前記軸方向端部から前記導出口までの長さと異なることを特徴とする。
【発明の効果】
【０００７】
この発明によれば、同相内に配線される複数の渡り線同士の干渉を避けるように構成したので、更なる品質の向上を図ることができる、という効果を奏する。
【図面の簡単な説明】
【０００８】
【図１】図１は、絶縁部が施された固定子鉄心を帯状に展開した状態を表す図である。
【図２】図２は、本発明の実施の形態に係る電動機の固定子を逆曲げしてマグネットワイヤを施した図である。
【図３】図３は、本発明の実施の形態に係る電動機の固定子を表す図である。
【図４】図４は、図１に示される固定子鉄心にマグネットワイヤを施した状態を表す図である。
【図５】図５は、固定子組立の斜視図である。
【図６】図６は、本発明の実施の形態に係るモールド電動機の側面図である。
【図７】図７は、本発明の実施の形態に係る空気調和機の構成を示す図である。
【発明を実施するための形態】
【０００９】
以下に、本発明に係る電動機の固定子、モールド電動機、および空気調和機の実施の形態を図面に基づいて詳細に説明する。なお、この実施の形態によりこの発明が限定されるものではない。
【００１０】
実施の形態．
図１は、絶縁部が施された固定子鉄心を帯状に展開した状態を表す図である。図２は、本発明の実施の形態に係る電動機の固定子を逆曲げしてマグネットワイヤを施した図である。図３は、本発明の実施の形態に係る電動機の固定子を表す図である。図４は、図１に示される固定子鉄心にマグネットワイヤを施した状態を表す図である。図５は、固定子組立の斜視図である。図６は、本発明の実施の形態に係るモールド電動機の側面図である。
【００１１】
図５に示される固定子鉄心４１は、図１から図４に示されるように複数の分割コアで構成される。各分割コアは、電磁鋼板を所定形状に打ち抜き、この打ち抜かれた複数の分割コア片を、かしめ、溶接、接着等で積層することで得られる。
【００１２】
各分割コアは、ティース６１〜６９、ティース先端部２０、コアバック２３を有して構成されている。ＰＢＴ（ポリブチレンテレフタレート）等の熱可塑性樹脂を固定子鉄心４１と一体に成形、または、部品の組付けにより、各分割コアのティース６１〜６９、ティース先端部２０、およびコアバック（図示せず）に絶縁部が形成される。固定子鉄心４１への樹脂成形で絶縁部を形成することにより、絶縁部の薄肉化が可能であり、加工コストの低減が可能となる。図示例ではティース６１〜６３はＵ相を構成し、ティース６４〜６６はＶ相を構成し、ティース６７〜６９はＷ相を構成する。なお、以下の説明では、固定子鉄心４１の端子１５を備える側を結線側と称し、その反対側を反結線側と称する。
【００１３】
各分割コアには、固定子鉄心４１の結線側の軸方向端面１９よりも軸方向外側には結線側絶縁部５が形成され、反結線側には反結線側絶縁部６が形成されている。さらに結線側絶縁部５には複数のピン８、９、１０、１３、１４が設けられている。
【００１４】
ピン８は渡り線巻き付け用のピンであり、ピン９には各相のマグネットワイヤ２４の巻き始め端末（Ｕａ、Ｖａ、Ｗａ）が接合される。ピン１０には各相のマグネットワイヤ２４の巻き終わり端末（Ｕｄ、Ｖｄ、Ｗｄ）が接合される。ピン１３は、導入口１へ導入される渡り線を結線側絶縁部５の外周側へ引っ掛けるためのピンである。ピン１４は、導出口２から引き出される渡り線を結線側絶縁部５の外周側へ引っ掛けるためのピンである。
【００１５】
図２から図４の例では、マグネットワイヤ２４がＵ相のティース６１〜６３、Ｖ相のティース６４〜６６、Ｗ相のティース６７〜６９にそれぞれ巻かれる。ティース６１、ティース６４、ティース６７のそれぞれのピン９からマグネットワイヤ２４を巻き始めることでＵ、Ｖ、Ｗ相を同時巻線することも可能である。
【００１６】
以下、図４を用いてコイル４２の形成の手順を説明する。マグネットワイヤ２４の端末Ｕａがピン９に数ターン巻き付けられた後、マグネットワイヤ２４は端子１５のフック１７に掛けられて、絶縁部が施されたティース６１に巻き付けられて最初のコイル４２が形成される。
【００１７】
ティース６１のコイル４２が形成された後、マグネットワイヤ２４は、ティース６１の結線側絶縁部５の導出口２５から結線側絶縁部５の外周側へ引き出され、渡り線Ｕｂとして隣接するティース６２側へ引き回される。そして渡り線Ｕｂは、ティース６２の結線側絶縁部５の導入口１からティース６２側へ導入される。導入されたマグネットワイヤ２４は、絶縁部が施されたティース６２に巻き付けられる。これにより２つ目のコイル４２が形成される。
【００１８】
ティース６２のコイル４２が形成された後、マグネットワイヤ２４は、ティース６２の結線側絶縁部５の導出口２から結線側絶縁部５の外周側へ引き出され、渡り線Ｕｃとして隣接するティース６３側へ引き回される。この渡り線Ｕｃは、ピン８に巻き付けられた後、ティース６３の結線側絶縁部５の導入口２６からティース６３側へ導入される。導入されたマグネットワイヤ２４は、絶縁部が施されたティース６３に巻き付けられる。これにより３つ目のコイル４２が形成される。
【００１９】
ティース６３のコイル４２が形成された後、マグネットワイヤ２４は、巻き終り線としてティース６２の結線側絶縁部５側に引き回される。そして、マグネットワイヤ２４の端末Ｕｄは、ティース６２の結線側絶縁部５に設けられたピン１０に巻き付けられる。
【００２０】
なお、図４において、ティース６３に形成されたコイル４２のマグネットワイヤ２４をＵ相の巻き終り線とし、ティース６６に形成されたコイル４２のマグネットワイヤ２４をＶ相の巻き終り線としたとき、Ｕ相の巻き終り線が、Ｖ相の巻き終り線が掛けられた端子１５（ティース６３に設けられている端子）まで引き回されている。このことで中性点が形成される。このように巻き終り線を、異相の巻き終り線が掛けられた端子１５まで引き回して中性点を形成することにより、中性点形成用の部品を使用することなく、結線作業を行うことができ、電動機の低コスト化が可能である。
【００２１】
Ｖ相とＷ相でも同様の手順でマグネットワイヤ２４が処理されることにより、固定子５１のコイル４２が形成される。このように本実施の形態の固定子５１では、渡り線が隣り合う異相の絶縁部に形成されたピンに巻き付けられる。すなわちマグネットワイヤ２４の全ての端末と全ての渡り線とが結線側絶縁部５で処理される。このことにより、反結線側へのマグネットワイヤ２４の引き回しが不要となり、生産性の向上、工程の低減による品質の向上、それに伴うコストの低減を図ることができる。
【００２２】
３相分のコイル４２の形成が終了した後、図４に示される各分割コアは、隣接する分割コアの間に形成された連結部１８を継ぎ目として、図３のように各ティース先端部２０の内径部２２が対向するように折り曲げられる。そして固定子鉄心４１の両側に設けられた鉄心合わせ面１６（図１参照）を合わせた後に、この鉄心合わせ面１６に溶接を施して固定する（図５参照）。また、マグネットワイヤ２４の端末と端子１５との接合は、ヒュージング、半田、あるいは、ろう付けなどで行われる。
【００２３】
ここで本実施の形態に係る固定子５１では、固定子鉄心４１の軸方向端部１９から導入口１までの長さが軸方向端部１９から導出口２までの長さと異なるように形成されている。そのため、１つのティース、例えばＵ相のティース６２に導入される渡り線Ｕｂとティース６２から引き出された渡り線Ｕｃとが交錯するような場合でも、渡り線同士の干渉を避けることができる。また本実施の形態に係る固定子５１では、軸方向端部１９から導入口１までの長さは、軸方向端部１９から導出口２までの長さよりも短くなるように形成されている。そのため、各ティースに巻かれたコイルから引き出した渡り線は、導入口１に導入される渡り線よりも軸方向外側に配線することができ、渡り線の配線作業が容易化される。
【００２４】
また、本実施の形態に係る固定子５１では、結線側絶縁部５の外周側に溝部７（図１参照）が形成されている。溝部７は、結線側絶縁部５の外周面から径方向内側に窪む溝形状であり、渡り線を導入口１へ導入する側の深さが渡り線を結線側絶縁部５の外周側へ導出する側の深さよりも浅くなるように形成され、溝部７の外径側の面（渡り線の導入口面）は、例えば結線側絶縁部５の外周面と同じ高さに位置している。
【００２５】
溝部７を設けることにより、渡り線を結線側絶縁部５の外周面に押し当てた状態で溝部７の窪みへ導入することができ、マグネットワイヤ２４の結線作業性が向上する。また溝部７の外径側の面が結線側絶縁部５の外周面と同じ高さに位置しているため、金型の加工が容易となる。
【００２６】
また、本実施の形態に係る固定子５１では、からげピン（ピン８、ピン９、およびピン１０など）に、渡り線を掛かり止めするための１または複数の掛止部１１が形成されている。例えば図１の左から４つ目の分割コアに設けられたピン８では複数の掛止部１１が設けられ、複数の掛止部１１の内、ピン８の先端側の掛止部１１の高さ（径方向および周方向の高さ）は、反先端側に設けられた掛止部１１の高さ（径方向および周方向の高さ）よりも低くなるように形成されている。
【００２７】
各掛止部１１の形状は、例えば各ピンの外周を取り囲むような円形状でもよいし、各ピンの外周面から径方向に突き出る突形状でもよい。
【００２８】
掛止部１１を設けることによって各渡り線の位置ずれが抑制され、各渡り線の離隔距離を確保することができる。
【００２９】
また、渡り線を各ピンに数回からげる（巻き付ける）必要がある箇所においては、各ピンの先端側に渡り線をからげる際に、ピンの反先端側の一回り大きな掛止部１１に渡り線を引っ掛けながらからげることが可能となり、巻線の作業性が向上する。
【００３０】
なお、本実施の形態の固定子５１では、マグネットワイヤ２４の巻き始め用と巻き終わり用としてピン９、１０が用いられているが、これらのピン９、１０の代わりに、例えばフックにマグネットワイヤ２４を引っ掛けた後にフックをつぶすことでフック内にマグネットワイヤ２４を固定することも可能である。
【００３１】
また、本実施の形態の固定子５１では、からげピンに掛止部１１が設けられ、結線側絶縁部５の外周側に溝部７が設けられているが、掛止部１１と溝部７の何れか一方のみ用いてもよい。
【００３２】
また、本実施の形態では、各相の巻き終りの端末と結線される端子１５が中性点の形成に使用されているが、巻き始めの端子を中性点として使用、または、中性点結線部品を使用するなどにより、中性点を形成してもよい。
【００３３】
また、本実施の形態の固定子５１は、固定子５１の外側に回転子が設けられるアウターロータの構造の電動機の固定子として利用することもできる。
【００３４】
このように本実施の形態に係る電動機の固定子５１によれば、生産性の向上を図ることができ、それに伴う品質の向上とコストの低減とを図ることができる。さらに反結線側絶縁部６は端末処理や渡り線の処理に使用されないため、反結線側絶縁部６を電動機の機能の向上、またはその他の目的に使用することが可能となる。
【００３５】
次に固定子５１を内蔵したモールド電動機５５の構成例を説明する。
【００３６】
図６に示されるモールド固定子５０は、固定子５１やセンサ基板３１などをＢＭＣ（バルクモールディングコンパウンド）等の熱硬化性樹脂でモールド成形して得られる。
【００３７】
結線側の外径側のコイル４２が固定子５１の外径側へ倒れることを防止する壁（外壁）には、リード線配線部品３０を固定する複数の突起が設けられる。また、反結線側の内径側のコイル４２が内径側に倒れることを防止する壁（内壁）にも突起が設けられる。この突起は、固定子５１をモールド成形する際、金型心金部に固定子５１を設置して軸方向に当て止めされるものである。
【００３８】
外壁の軸方向端部の先端は、その高さがコイル４２の軸方向における最大高さよりも高くなるように形成されている。また内壁の突起は、外壁の軸方向端部の先端と同じ高さとなるように形成することが望ましい。コイル４２は、その軸方向における高さが、外壁から内壁に向かうにつれて低くなるように形成される。そのため内壁の突起の高さを外壁の高さと同じにした場合、内壁の突起からコイル４２までの距離が十分に確保される。従って、固定子鉄心４１の反結線側を下にした状態で金型心金部に固定子５１を設置したとき、金型心金部にコイル４２が当たることなく固定子鉄心４１を安定して置くことができる。その結果、生産性が向上すると共に品質も向上する。
【００３９】
コイル４２に電源を供給する電源リード線３７は、マグネットワイヤ２４の端末が接合された端子まで引き回し、被覆を剥いて端子１５とスポット溶接、あるいは、半田等で接合される。センサ基板３１には、ホールＩＣ等の電子部品や、回転子５４の位置検出素子３９などが実装され、センサ基板３１にはセンサリード線３６が接続される。センサリード線３６には、ボードインコネクタ３２が接続され、ボードインコネクタ３２の端子は半田で電子部品と電気的に接合される。
【００４０】
電源リード線３７およびセンサリード線３６の配線にはリード線配線部品３０が用いられ、リード線配線部品３０は、ＰＢＴ等の熱可塑性樹脂によって略円形に形成されている。リード線配線部品３０の外周には口出し部品３５が組み付けられ、口出し部品３５は、モールド固定子５０の外周面から外部に表出する。
【００４１】
また、リード線配線部品３０の外周には、複数の取付け足３８が設けられ、各取付け足３８には、結線側絶縁部５に備えた突起３を挿入する穴が設けられている。なお突起３は図１に示される結線側絶縁部５の挿入穴４に設けられている。固定子にリード線配線部品３０が組付けられた際に、各取付け足３８が固定子絶縁部のリード線配線部品３０の設置面に当接して軸方向の位置決めがなされる。また、絶縁部の突起３が取付け足３８の穴に挿入されることで、リード線配線部品３０の回転方向の位置決めがなされる。
【００４２】
３相の電源リード線３７は概略１２０°に配置された固定子５１の端子１５まで引き回されるが、被覆が剥かれた端末がリード線端末保持部４３の壁に接することによって、電源リード線３７の位置決めがなされる。
【００４３】
リード線配線部品３０が固定子５１に組付けられた際、電源リード線３７は、リード線配線部品３０の内壁に沿って口出し部品側に引き回され、折り返し部で口出し部品の方向に折り曲げられる。そして、電源リード線３７は、口出し部品の電源リード線用の保持突起に嵌め込まれることによって保持される。
【００４４】
このとき、口出し部品３５から最も離れたリード線端末保持部４３に引き回される電源リード線３７は、口出し部品３５の中心に備える電源リード線保持部に引き回される。また、口出し部品３５の両側のリード線端末保持部４３に配線される電源リード線３７は、口出し部品３５の中心以外の電源リード線保持部に引き回される。
【００４５】
ただし、最も離れた位置に配線される電源リード線３７以外の２本のリード線の何れか一方は、最も離れた位置に配線される電源リード線３７の外側を引き回される。
【００４６】
リード線配線部品３０の外周側には、リード線端末保持部４３と組みで設けられる芯線保持部４４が形成されている。固定子５１にリード線配線部品３０が組付けられた際、リード線端末保持部４３から引き出された電源リード線３７の芯線は、端子１５と芯線とが近接するようにして芯線保持部４４まで引き回され、芯線保持部４４で保持される。
【００４７】
リード線配線部品３０には、固定子５１の端子１５と電源リード線３７の芯線とを挟み込む電極４６の空間を確保するため、電極逃がし用の凹部が形成される。電極逃がし用の凹部を設けることで、電源リード線３７は、リード線配線部品３０のリード線配線面よりもさらに固定子側に引き回される。さらに、リード線位置ずれ防止突起を凹部の両側に設けることで軸方向の位置決めがなされる。
【００４８】
口出し部品３５には、２種のリード線保持部品を保持するための複数の係り止め部が形成されている。
【００４９】
口出し部品３５の第１の係り止め部は、リード線配線部品３０の中心側とは反対側に開口するセンサリード線保持部品３３用の係り止め部である。センサリード線保持部品３３はリード線配線部品３０の中心に向かって挿入して組付けられる。
【００５０】
口出し部品３５の第２の係り止め部は、リード線配線部品３０の中心側に向かって開口する電源リード線保持部品３４の係り止め部である。電源リード線保持部品３４は、リード線配線部品３０の中心側から外側に向かって挿入して組付けられる。
【００５１】
電源リード線保持部品３４は、口出し部品３５の設置面より鉛直方向に伸び、かつ、リード線保持部品の係り止め部に掛けられる足を備える。さらに、この足の先端には口出し部品３５の係り止め部において軸方向に位置決めされる突起を備える。
【００５２】
リード線配線部品３０に電源リード線３７が配線された後、電源リード線保持部品３４は、口出し部品３５の第２の係り止め部へ係り止めされて組付けられる。電源リード線保持部品３４が口出し部品３５に係り止めされた際、電源リード線保持部品３４に設けられたリブが、口出し部品３５に当接することにより、リード線が表出する開口の量を抑えることができる。
【００５３】
また、リード線配線部品３０の口出し部の内周側に設けられたセンサ基板保持部４７は、センサ基板３１を組付ける足を備える。センサ基板３１は、センサ基板保持部４７の組付け足に対応した形状（溝、切欠きなど）である。センサ基板３１は、組付け足が係り止めされることによりリード線配線部品３０の軸方向に固定される。
【００５４】
またセンサ基板保持部４７は、センサ基板３１と略並行に広がる基板押さえ部を備える。この基板押さえ部により、モールド成形時の樹脂圧によるセンサ基板３１の変形が抑制される。このことにより電動機の位置検出精度が向上し、電動機の品質が向上する。
【００５５】
センサ基板３１が組付けられた後に、センサ基板３１とセンサリード線３６のボードインコネクタ３２とが半田で接合される。センサリード線３６は、リード線配線部品３０の電源リード線３７が配線された面とは反対面に、口出し部品３５に向って引き回される。センサリード線３６は、口出し部品３５に備えた保持突起と電源リード線保持部品３４の両足とによって軽く保持される。
【００５６】
センサリード線保持部品３３には、口出し部品３５に係り止めされる足が設けられ、センサリード線保持部品３３は、センサリード線３６が引き回された後に、口出し部品３５の中心に向って組付けられる。
【００５７】
センサリード線３６と電源リード線３７をリード線配線部品３０のそれぞれの面に引き回すことから、組立てが容易となりコストの低減を図ることができる。また、組立てが容易になることに伴い品質の向上が図れる。
【００５８】
また、リード線配線部品３０に設けた突起で電源リード線３７を保持することで、軸方向の位置ずれを防止することができ、品質の向上を図ることができる。
【００５９】
また、口出し部品３５は２種類の係り止め部を備えるため、センサリード線３６と電源リード線３７がセンサリード線保持部品３３と電源リード線保持部品３４で各々保持される。そのため、各リード線を口出し部品３５へ強固に組み付けることが可能となり、信頼性の向上に伴う品質の向上を図ることができる。
【００６０】
さらに、電源リード線保持部品３４の足をセンサリード線３６の保持にも使用することで、組立てが容易となり、コストの低減を図ることができる。また、組立てが容易になることに伴い品質の向上を図ることができる。
【００６１】
各リード線が配線されたリード線配線部品３０が固定子鉄心４１に組み付けられる。リード線配線部品３０の取付け足３８から突出した突起３は、熱溶着あるいは超音波溶着などで固定される。このようにして各リード線が組付けられた固定子組立４０が得られる（図５参照）。
【００６２】
なお、リード線配線部品３０の代わりに、各リード線の配線パターンを形成したセンサ基板３１を固定子５１に直接組み付けてもよい。
【００６３】
固定子組立４０はモールド金型に設置され、固定子５１をＢＭＣ（バルクモールディングコンパウンド）等の熱硬化性樹脂のモールド樹脂でモールド成形することでモールド固定子５０が得られる（図６参照）。
【００６４】
固定子組立４０のモールド成形の際、センサリード線保持部品３３、電源リード線保持部品３４、および口出し部品３５で構成されるリード線口出し部は、モールド成形の圧力により固定子５１の中心から径外側に押し出される。そのため、リード線口出し部品は、固定子鉄心４１に接触することなく、その位置が維持される。そのため、モールド成形時に各リード線が接触した状態で固定されることがなく、各リード線が接触する部分に空隙が生じることもない。従って、リード線口出し部とモールド樹脂との隙間や界面から浸入した水が、各リード線の空隙を伝わってセンサ基板３１に到るということがない。その結果、固定子５１の品質の向上を図ることができる。
【００６５】
また、固定子５１を金型に設置した際、反結線側絶縁部６の内壁の突起（図示せず）は、金型に形成された設置部で支えられる。この設置部は、例えば、固定子鉄心４１の内径寸法より若干大きい外径の段付き部や、金型心金部の開口部設置面から固定子５１側に突状に延びる複数の爪や、金型心金部の近傍のブラケット設置面から固定子鉄心４１の内径とは繋がらない状態で延びる複数の突起などである。すなわち、反結線側絶縁部には、モールド時に、モールド金型の押さえ箇所となる固定子外周に張り出して軸方向に形成されたモールド金型押さえ部（突起）が形成されている。
【００６６】
このように、固定子５１が金型の設置部で支えられるため、モールド成形時に固定子５１の外周部を金型（規制部材）で支える必要が無い。従って、モールド固定子５０の外郭には、固定子鉄心４１とモールド樹脂との間の境界面が形成されることがない。その結果、モールド固定子５０の内部への水分の浸入を抑制することが可能となり、固定子５１の品質向上を図ることができる。
【００６７】
さらに、金型の突起で固定子５１を支える場合、モールド固定子５０を金型に設置したときでも、絶縁内壁の反結線側に形成された突起（図示せず）が固定子鉄心４１の内径側に表出することがなくなり、水の浸入に対する抑制効果をより高めることができる。
【００６８】
このように構成されたモールド固定子５０には、軸受５２を装着した回転子５４が挿入され、さらにブラケット５３などが組み付けられる。これによりモールド電動機５５が得られる（図６参照）。
【００６９】
図示例のモールド電動機５５では、図３の固定子５１が用いられているため、従来のモールド電動機に比べて品質を高めることができ、また、固定子内部への水分の浸入が可能な限り抑制されるため、さらに品質を高めることができる。
【００７０】
図７は、本発明の実施の形態に係る空気調和機の構成を示す図である。空気調和機７０は、室内機７１と、室内機７１に接続される室外機７２とを備える。室外機７２は送風機７３を備える。室内機７１も送風機（図示せず）を備える。これらの室内機７１および室外機７２には図６のモールド電動機５５が送風機用の電動機として用いられている。このように構成された空気調和機７０では図３の固定子５１が用いられているため、従来の空気調和機に比べて、品質を高めることができる。
【００７１】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【００７２】
以上のように、本発明は、電動機の固定子、モールド電動機、および空気調和機に適用可能であり、特に、更なる品質の向上を図ることができる発明として有用である。
【符号の説明】
【００７３】
１  導入口、２  導出口、３  突起、４  挿入穴、５  結線側絶縁部、６  反結線側絶縁部、７  溝部、８，９，１０  ピン、１１  掛止部、１３，１４  ピン、１５  端子、１６  鉄心合わせ面、１７  フック、１８  連結部、１９  軸方向端部、２０  ティース先端部、２２  内径部、２３  固定子外径部、２４  マグネットワイヤ（ワイヤ）、２５  導出口、２６  導入口、３０  リード線配線部品、３１  センサ基板、３２  ボードインコネクタ、３３  センサリード線保持部品、３４  電源リード線保持部品、３５  口出し部品、３６  センサリード線、３７  電源リード線、３８  取付け足、３９  位置検出素子、４０  固定子組立、４１  固定子鉄心、４２  コイル、４３  リード線端末保持部、４４  芯線保持部、４６  電極、４７  センサ基板保持部、５０  モールド固定子、５１  固定子、５２  軸受、５３  ブラケット、５４  回転子、５５  モールド電動機、６１，６２，６３，６４，６５，６６，６７，６８，６９  ティース、７０  空気調和機、７１  室内機、７２  室外機、７３  送風機、Ｕａ  端末、Ｕｂ  渡り線、Ｕｃ  渡り線、Ｕｄ  端末、Ｖａ  端末、Ｖｂ  渡り線、Ｖｃ  渡り線、Ｖｄ  端末、Ｗａ  端末、Ｗｂ  渡り線、Ｗｃ  渡り線、Ｗｄ  端末。
【図１】
2015162692.tif 000003
【図２】
2015162692.tif 000004
【図３】
2015162692.tif 000005
【図４】
2015162692.tif 000006
【図５】
2015162692.tif 000007
【図６】
2015162692.tif 000008
【図７】
2015162692.tif 000009
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
絶縁部が施された３相を構成する複数のティースを有する固定子鉄心と、
前記複数のティースにワイヤを巻いて形成されるコイルと、
を備え、
前記固定子鉄心の外径側に設けられた絶縁部には、前記絶縁部の外周側に引き回される前記コイルの渡り線を前記ティース側へ導入する導入口と、前記コイルの渡り線を前記ティース側から前記絶縁部の外周側へ導出する導出口と、が形成され、
前記固定子鉄心の前記絶縁部側の軸方向端部から前記導入口までの長さは、前記軸方向端部から前記導出口までの長さと異なり、
同相を構成する前記複数のティースの内、隣接するティースの一方のティースに巻かれるコイルの巻線方向は他方のティースに巻かれる巻線方向と異なる電動機の固定子。
【請求項２】
前記一方のティースに施された絶縁部の前記導出口の位置は、前記他方のティースに施された絶縁部の前記導入口の位置と同じである請求項１に記載の電動機の固定子。
【請求項３】
前記軸方向端部から前記導入口までの長さは、前記軸方向端部から前記導出口までの長さよりも短い請求項１に記載の電動機の固定子。
【請求項４】
前記絶縁部には、前記渡り線の巻き付け用のピンが形成され、
前記渡り線は、隣り合う異相の前記絶縁部に形成された前記ピンに巻き付けられる請求項１から請求項３の何れか１項に記載の電動機の固定子。
【請求項５】
前記ピンには、前記渡り線を掛かり止めする１または複数の掛止部が形成されている請求項４に記載の電動機の固定子。
【請求項６】
前記複数の掛止部の内、前記ピンの先端側の掛止部の高さは、反先端側に設けられた掛止部の高さよりも低くなるように形成されている請求項５に記載の電動機の固定子。
【請求項７】
前記絶縁部の外周側には、前記渡り線を収納する溝部が形成されている請求項１から請求項６の何れか１項に記載の電動機の固定子。
【請求項８】
前記溝部は、前記渡り線を前記導入口へ導入する側の深さが前記渡り線を前記絶縁部の外周側へ導出する側の深さよりも浅くなるように形成されている請求項７に記載の電動機の固定子。
【請求項９】
前記溝部は、その外径側の面が前記絶縁部の外周面と同じ高さに位置している請求項７または請求項８に記載の電動機の固定子。
【請求項１０】
前記絶縁部には、モールド時に、モールド金型の押さえ箇所となる固定子外周に張り出して軸方向に形成されたモールド金型押さえ部が形成されている請求項１から請求項９の何れか１項に記載の電動機の固定子。
【請求項１１】
前記絶縁部は、固定子鉄心への樹脂成形で形成される請求項１から請求項１０の何れか１項に記載の電動機の固定子。
【請求項１２】
請求項１から請求項１１の何れか１項に記載の電動機の固定子を用いたモールド電動機。
【請求項１３】
請求項１２に記載のモードル電動機を送風機に搭載した空気調和機。
【手続補正２】
【補正対象書類名】明細書
【補正対象項目名】０００６
【補正方法】変更
【補正の内容】
【０００６】
上述した課題を解決し、目的を達成するために、本発明は、絶縁部が施された３相を構成する複数のティースを有する固定子鉄心と、前記複数のティースにワイヤを巻いて形成されるコイルと、を備え、前記固定子鉄心の外径側に設けられた絶縁部には、前記絶縁部の外周側に引き回される前記コイルの渡り線を前記ティース側へ導入する導入口と、前記コイルの渡り線を前記ティース側から前記絶縁部の外周側へ導出する導出口と、が形成され、前記固定子鉄心の前記絶縁部側の軸方向端部から前記導入口までの長さは、前記軸方向端部から前記導出口までの長さと異なり、同相を構成する前記複数のティースの内、隣接するティースの一方のティースに巻かれるコイルの巻線方向は他方のティースに巻かれる巻線方向と異なることを特徴とする。
【国際調査報告】
2015162692.tif 000010
2015162692.tif 000011
2015162692.tif 000012
2015162692.tif 000013